(57)【要約】【課題】ＣＤ等の円盤状記録媒体を収容する収納ケースであって、本体側と蓋側に夫々受け台座を設けて該円盤状記録媒体が外れることなく安定して取付けることが出来る収納ケースの提供。【解決手段】本体１のベース面中央部には円盤状記録媒体１８の中央部が載る載置面を有す受け台座５を設け、同じく蓋２のベース面中央部には別の円盤状記録媒体１８の中央部が載る載置面を有す受け台座６を設けている。両受け台座５，６の向きは互いに垂直方向を成し、該受け台座５，６の載置面中央には２本のスリット溝４６，４６が所定の間隔をおいて形成され、両スリット溝４６，４６にて挟まれて形成された両アーム先端には係合凸部４７ａ，４７ｂを対を成して突出し、更に上記アームとは独立して撓む係合ツメ４８ａ，４８ｂを係合凸部４７ａ，４７ｂと対を成して設けている。そして、蓋２を閉じた場合には、係合ツメ４８ａ、４８ｂの先端は係合凸部側面に係止する。【選択図】        図１
2004250075.tif 000002
【特許請求の範囲】
【請求項１】
ＣＤ等の円盤状記録媒体を収容する収納ケースにおいて、本体のベース面中央部には円盤状記録媒体の中央穴に嵌る複数の係合ツメを起立し、同じく蓋のベース面中央部には別の円盤状記録媒体の中央穴に嵌る複数の係合ツメを起立し、蓋を閉じた場合には本体ベース面に起立した係合ツメと蓋のベース面に起立した係合ツメが互いに噛み合って中心側へ撓み変形することを阻止するようにしたことを特徴とするレンタル又は販売用記録媒体の収納ケース。
【請求項２】
ＣＤ等の円盤状記録媒体を収容する収納ケースにおいて、本体のベース面中央部には円盤状記録媒体の中央穴に嵌る複数の係合ツメを起立すると共に支持部材を起立し、同じく蓋のベース面中央部には別の円盤状記録媒体の中央穴に嵌る複数の係合ツメを起立すると共に支持部材を起立し、蓋を閉じた場合には本体ベース面に起立した係合ツメに蓋のベース面に起立した支持部材が係合し、蓋のベース面に起立した係合ツメが本体ベース面に起立した支持部材に係合して中心側へ撓み変形することを阻止するようにしたことを特徴とするレンタル又は販売用記録媒体の収納ケース。
【請求項３】
ＣＤ等の円盤状記録媒体を収容する収納ケースにおいて、本体のベース面中央部には円盤状記録媒体の中央穴に嵌る複数の係合ツメを起立し、そして蓋のベース面中央部には支持部材を起立し、蓋を閉じた場合には本体ベース面に起立した係合ツメに蓋のベース面に起立した支持部材が係合して中心側へ撓み変形することを阻止するようにしたことを特徴とするレンタル又は販売用記録媒体の収納ケース。
【請求項４】
ＣＤ等の円盤状記録媒体を収容する収納ケースにおいて、本体のベース面中央部には円盤状記録媒体の中央部が載る載置面を有す受け台座を設け、同じく蓋のベース面中央部には別の円盤状記録媒体の中央部が載る載置面を有す受け台座を設けると共に、両受け台座の向きは互いに垂直方向を成し、該受け台座の載置面中央には２本のスリット溝が所定の間隔をおいて形成され、両スリット溝にて挟まれて形成された両アーム先端には係合凸部を対を成して突出し、更に上記アームとは独立して撓む係合ツメを係合凸部と対を成して設けたことを特徴とするレンタル又は販売用記録媒体の収納ケース。
【請求項５】
上記係合ツメの先端を係合凸部の上面より突出し、蓋を閉じた場合に係合ツメ先端が対向側の係合凸部側面に係止するようにした請求項４記載のレンタル又は販売用記録媒体の収納ケース。
【請求項６】
ベース面にＬ型の押え片を突出して形成し、この押え片とベース面に設けた受け片との間にチャプターシート等を挟み込むようにした請求項１、請求項２、請求項３、請求項４、又は請求項５記載のレンタル又は販売用記録媒体の収納ケース。
【請求項７】
ＣＤ等の円盤状記録媒体を収容する収納ケースにおいて、本体のベース面中央部には円盤状記録媒体の中央穴に嵌る複数の係合ツメを起立し、同じく蓋のベース面中央部には別の円盤状記録媒体の中央穴に嵌る複数の係合ツメを起立し、蓋を閉じた場合には本体ベース面に起立した係合ツメと蓋のベース面に起立した係合ツメが互いに噛み合って中心側へ撓み変形することを阻止するようにし、そして収納ケース側面開口から嵌入空間にロック部材を嵌入して蓋をロックし、ロック部材の挟持部にはケース側ツメに係止する係合部を先端に有す撓み部材を形成すると共に、該撓み部材には金属片を設けたことを特徴とするレンタル又は販売用記録媒体の収納ケース。
【請求項８】
ＣＤ等の円盤状記録媒体を収容する収納ケースにおいて、本体のベース面中央部には円盤状記録媒体の中央穴に嵌る複数の係合ツメを起立すると共に支持部材を起立し、同じく蓋のベース面中央部には別の円盤状記録媒体の中央穴に嵌る複数の係合ツメを起立すると共に支持部材を起立し、蓋を閉じた場合には本体ベース面に起立した係合ツメに蓋のベース面に起立した支持部材が係合し、蓋のベース面に起立した係合ツメが本体ベース面に起立した支持部材に係合して中心側へ撓み変形することを阻止するようにし、そして収納ケース側面開口から嵌入空間にロック部材を嵌入して蓋をロックし、ロック部材の挟持部にはケース側ツメに係止する係合部を先端に有す撓み部材を形成すると共に、該撓み部材には金属片を設けたことを特徴とするレンタル又は販売用記録媒体の収納ケース。
【請求項９】
ＣＤ等の円盤状記録媒体を収容する収納ケースにおいて、本体のベース面中央部には円盤状記録媒体の中央穴に嵌る複数の係合ツメを起立し、そして蓋のベース面中央部には支持部材を起立し、蓋を閉じた場合には本体ベース面に起立した係合ツメに蓋のベース面に起立した支持部材が係合して中心側へ撓み変形することを阻止するようにし、そして収納ケース側面開口から嵌入空間にロック部材を嵌入して蓋をロックし、ロック部材の挟持部にはケース側ツメに係止する係合部を先端に有す撓み部材を形成すると共に、該撓み部材には金属片を設けたことを特徴とするレンタル又は販売用記録媒体の収納ケース。
【請求項１０】
ＣＤ等の円盤状記録媒体を収容する収納ケースにおいて、本体のベース面中央部には円盤状記録媒体の中央部が載る載置面を有す受け台座を設け、同じく蓋のベース面中央部には別の円盤状記録媒体の中央部が載る載置面を有す受け台座を設けると共に、両受け台座の向きは互いに垂直方向を成し、該受け台座の載置面中央には２本のスリット溝が所定の間隔をおいて形成され、両スリット溝にて挟まれて形成された両アーム先端には係合凸部を対を成して突出し、更に上記アームとは独立して撓む係合ツメを係合凸部と対を成して設け、そして、収納ケース側面開口から嵌入空間にロック部材を嵌入して蓋をロックし、ロック部材の挟持部にはケース側ツメに係止する係合部を先端に有す撓み部材を形成すると共に、該撓み部材には金属片を設けたことを特徴とするレンタル又は販売用記録媒体の収納ケース。
【請求項１１】
ロック部材は両挟持片を備えたコ型断面の挟持部と平面部から成り、本体と蓋の側縁に設けたガイド溝片には挟持片が係合し、又本体と蓋に設けた本体係合穴と蓋係合穴を貫通する嵌入棒を平面部先端から延ばし、ベース面に突出したガイドボスに係合するフックを平面部先端から延ばし、さらに本体係合穴に嵌る挟持片をロック部材の手前側に形成した請求項７、請求項８、請求項９、又は請求項１０記載のレンタル又は販売用記録媒体の収納ケース。
【発明の詳細な説明】
【０００１】
【発明の属する技術分野】
本発明はＣＤ、ＤＶＤ、ゲームソフト等の円盤状記録媒体を２枚収容し、安定して収納されると共に盗難防止用のロック機能を備えた円盤状記録媒体の収納ケースに関するものである。
【０００２】
【従来の技術】
ＣＤ等の円盤状記録媒体はその外形を薄い円盤形とし、中心には小さな円形穴が貫通して設けられている。そして、該円盤状記録媒体は厚さの薄い収納ケースに収納されているが、該収納ケースはベース側最広面を持つ箱型形状の本体とカバー側最広面を持つ蓋から成っている。蓋は繋ぎ部を介して本体に繋がっていて、本体を被覆することが出来る。勿論、上記繋ぎ部を持たないカバーケースもあり、又引出し型式で本体が引き出されるような形態の収納ケースもある。
【０００３】
ところで、円盤状記録媒体は本体のベース中央部に突出して設けられる保持部が円盤状記録媒体の中央に設けている穴に嵌ることで取付けられる。該保持部の形態は色々知られているが、穴に嵌って取付けられた円盤状記録媒体がガタ付くことなく安定し、勿論、外れることなく、しかし、取外す際には取外し易いように機能することが求められる。
【０００４】
特許公表２００２−５３９５７８号に係る「コンパクトディスクの保持装置」は、「基部と該基部から弾性的に片持ち形成され、且つ内方に延在した半径方向アームと、ディスクの中央孔を開放可能に係合し、且つ基部から離間させてディスクの中央部分を支持する為に、アームの内方端部に形成されたディスク係合手段とを備えている。そして各アームは、基部と結合する領域に位置決めされた第１回動手段と、第１回動手段から半径方向内側に位置決めされた第２回動手段とを有している。ディスク係合手段を基部に向けて押下げることにより、各アームの内方端部とディスクの中央部分とが基部に向けて押下げられ、各アームは初めに第１回動手段を中心として回動し、続いてディスク係合手段によるディスクの保持力が開放されるまで第２回動手段を中心として回動する。」ように構成している。
【０００５】
ディスクはその中央孔に係合手段が係合して取付けられるが、該ディスクを取外す際に穴に係合している係合手段を上方から押圧して該穴から離脱させる必要があるが、係合手段を押圧すると同時にディスクに負荷が作用して撓み変形する。その結果、ディスクを取出す際に破損してしまうといった問題が時々発生する。しかし、取外し易くする為に、係合手段がディスク中央穴にあまく嵌って係合するようにすれば、収納状態のディスクが独りでに外れてしまう。
【０００６】
このような問題は、上記特許公表２００２−５３９５７８号に係る「コンパクトディスクの保持装置」に限らず、特表２０００−５０８９９７号に係る「コンパクトディスクを保持する為の装置」、特表平１０−５０２５９９号に係る「コンパクトディスクを保持する装置」の場合も同じような問題として発生する。
【０００７】
収納ケースのベース側最広面又はカバー側最広面を加圧する場合、ディスク穴に嵌っている保持部が穴中心側へ撓み変形して外れる。収納ケースのベース側最広面又はカバー側最広面が加圧される場合は色々あるが、工場にてディスクを収納して梱包する場合、販売及びレンタルショップにて棚に陳列する場合、又顧客が購入及びレンタルする際に棚から持ち運ぶ場合、さらに収納ケースを不注意で落下した場合など、いろいろな場合が存在する。
【０００８】
いずれの場合も、ディスクが保持部から外れるならばケース内にてガタ付いて記録面にキズが発生し、ディスク自体が破損する虞もある。一方、収納ケースには２枚のディスクを収容することが出来るように構成したものあるが、２枚を同じケースに収容することで間に仕切り板を設けるならば、該収納ケースの厚さが大きく成ってしまう。しかし、仕切り板を設けることなく２枚のディスクを同じ空間に収容する場合、保持部から外れる事で互いに擦れ合ってキズが発生する頻度が高くなる。
【０００９】
さらに、収納ケースにディスクを収容して陳列棚に配列した状態で販売やレンタルを行う場合には、盗難防止対策を施すことが重要である。特開２００２−１５０４４４に係る「盗難防止機能を備えたＤＶＤなどの貸出しケース」は、出願人が以前に特許出願した収納ケースであり、該貸出しケースはＤＶＤ等の中心穴に嵌るヘソを備えた本体ケースと本体ケースを閉じる蓋から成り、ケースの側面開口から警報装置が感知するタグシールを貼ったロック板をロック板嵌入空間にスライドして嵌入することで該蓋が開かないように互いに噛み合ってロックする構造とし、ロック板の側縁にはケースから外側へ突出するツメを備え、又基部を中心として撓み変形する板バネを備えると共に、該板バネにはロックツメを設けてケースに形成した係止部に係止して外れないようにし、そして磁石にて板バネを引寄せることでロックツメを係止部から解錠することでツメを引いてロック板が抜き取られるように構成している。
【００１０】
しかし、上記ロック部材を構成する板バネ及びロックツメの形状が複雑であり、該ロック部材を製作する為の金型は必然的に複雑化して製作コストは高くなる。そして、製作したロック部材を収納ケースに組付ける作業工数も増大する結果となる。
【００１１】
【発明が解決しようとする課題】
このように、従来の円盤状記録媒体の収納ケースには上記のごとき問題がある。本発明が解決しようとする課題はこの問題点であり、厚さを抑えて収納した２枚の円盤状記録媒体がガタ付くことなく安定し、しかも無理をかけることなく取外し出来、一方では簡単な機構にて蓋が開かないようにロック機能を備えた円盤状記録媒体の収納ケースを提供する。
【００１２】
【課題を解決する為の手段】
本発明に係る「円盤状記録媒体の収納ケース」は、本体と蓋から成り、蓋は本体を被覆することが出来る。本体のベース中央部及び蓋のベース中央部には受け台座が設けられ、コンパクトディスク等の円盤状記録媒体の中央部が載置される。ここで、上記受け台座はベースから突出して設けられる場合、又はベースと同一面に設ける場合もある。
【００１３】
そして上記受け台座の載置面には２本のスリット溝が所定の間隔をおいて形成され、両スリット溝にて挟まれて形成された両アームの先端には係合凸部を有し、該係合凸部は円盤状記録媒体の中央穴に係合する。しかも、係合凸部には係合ツメが対を成して起立すると共に先端は係合凸部の上面より突出し、該係合ツメはアームから分離して設けられることで、係合ツメは係合凸部と独立して撓むことが出来る。そして係合ツメは係合凸部の一部を切欠いた箇所に設けられて独立して撓み、しかし、係合凸部と共に円盤状記録媒体の中央穴に嵌る。
【００１４】
ところで、本体ベースに設けられている受け台座の向きと蓋ベースに設けられている受け台座の向きは互いに垂直を成している。両受け台座の係合凸部及び係合ツメは円盤状記録媒体の中央穴に嵌って該円盤状記録媒体を所定の位置に保持することが出来る。そして、蓋を閉じるならば各々の受け台座に設けている係合凸部は対面し、係合ツメの先端は対向する側の係合凸部の側面に係止する。従って、係合ツメは撓み変形することが出来ず、係合凸部から円盤状記録媒体が外れることはない。
【００１５】
このように、両円盤状記録媒体は本体と蓋に設けた上記受け台座に載置され、係合凸部は円盤状記録媒体の中央穴に嵌って係合すると共に、上記係合ツメも中央穴に嵌合する。そして蓋を閉じることで係合ツメ先端は係合凸部側面に係止して２枚の円盤状記録媒体を安定して保持する。固定されている円盤状記録媒体を取外す際には、上記係合凸部を上方から押圧するならばアームが下方へ撓んで収縮して穴から外れる。
【００１６】
この際、円盤状記録媒体は受け台座の載置面に載って支持されている為に撓み変形することはない。又、円盤状記録媒体の外周を摘んで引くことも出来るが、係合凸部はアーム先端に形成されることで、受け台座とは独立して変形することが出来、さらに撓み変形し易い係合ツメが外れることで、円盤状記録媒体に無理を掛けることなく係合凸部から外すことが出来る。
【００１７】
ところで、本発明は係合凸部と係合ツメの組合せに限定せず、本体ベース面中央部には円盤状記録媒体の中央穴に嵌る複数の係合ツメを起立し、同じく蓋のベース面中央部には別の円盤状記録媒体の中央穴に嵌る複数の係合ツメを起立し、蓋を閉じた場合には本体ベース面に起立した係合ツメと蓋のベース面に起立した係合ツメが互いに噛み合って中心側へ撓み変形することを阻止するように構成することが出来る。
【００１８】
又、本体のベース面中央部には円盤状記録媒体の中央穴に嵌る複数の係合ツメを起立すると共に支持部材を起立し、同じく蓋のベース面中央部には別の円盤状記録媒体の中央穴に嵌る複数の係合ツメを起立すると共に支持部材を起立し、蓋を閉じた場合には本体ベース面に起立した係合ツメに蓋のベース面に起立した支持部材が係合し、蓋のベース面に起立した係合ツメが本体ベース面に起立した支持部材に係合して中心側へ撓み変形することを阻止することで、円盤状記録媒体の外れを防止することが出来る。
【００１９】
さらに、本体のベース面中央部には円盤状記録媒体の中央穴に嵌る複数の係合ツメを起立し、そして蓋のベース面中央部には支持部材を起立し、蓋を閉じた場合には本体ベース面に起立した係合ツメに蓋のベース面に起立した支持部材が係合して中心側へ撓み変形することを阻止するようにする。すなわち、円盤状記録媒体は本体側にだけ取付け、蓋側には支持部材を設けて外れを防止する。
【００２０】
ところで、この収納ケースは店の陳列棚に陳列されることになるが、該収納ケースから円盤状記録媒体が盗まれないように蓋はロックされている。そこでロック構造としてはロック部材が使用され、収納ケースに設けた開口から該ロック部材がスライドして挿入され、ロック部材は本体ケースと蓋に噛み合って係合することが出来る。従って、蓋は開くことなく本体ケースにロックされる。
【００２１】
そして、ロック部材にはツメが形成され、該ツメは収納ケースに開口から挿入した場合に外側に突出し、その為に解錠具をツメに係止してスライドするならばロック部材はスライドして開口から外れて蓋を開くことが出来る。しかし、突出したツメに係止してスライドさせようとしてもロック部材に設けている係合部が収納ケース側に設けているツメに係止している為に外れない構造と成っている。
【００２２】
そこで、上記係合部をツメから外す為に磁石が用いられ、該係合部を先端に形成した撓み部材には磁石に引寄せられる為の金属片が設けられ、磁石の磁気力を利用して該係合部を磁石側へ引き寄せてツメから外し、その状態でロック部材をスライドして取外すことが出来る。ここで、撓み部材はロック部材と共に一体成形され、該撓み部材に上記金属片を取付けたり、又は成形と同時に埋着される。そして、ロック部材にはタグシール等が貼着されていて、取外さないで収納ケースを持ち出すならば、出入り口に設置している防犯装置が感知して警報を発するようにしている。以下、本発明に係る実施例を図面に基づいて詳細に説明する。
【００２３】
【実施例】
図１は本発明に係る円盤状記録媒体の収納ケースで組立て前の状態を示す実施例であり、正面図と底面図を表している。そして、図２は組み立てられた状態であって、正面図と底面図を表している。同図の１は本体、２は蓋を示し、本体１はベース側最広面を持つ箱型形状を成し、蓋２はカバー側最広面を有し、そして、蓋２は繋ぎ部３を介して本体１に繋がっていて、しかも本体１と蓋２の縁に設けている連結部４，４・・を噛み合わせると共に、該連結部４，４・・の軸穴に軸ピン１７，１７を挿通することにより蓋２を開閉可能にし、該本体１を被覆することが出来る。
【００２４】
図１は繋ぎ部３だけで蓋２が繋がれて、連結部４，４・・が分離している状態であり、図２は蓋２が連結部４，４・・に軸ピン１７，１７を挿通して収納ケースとして組み立てた状態である。繋ぎ部３は本体１と蓋２との境界が薄肉化している為に、屈曲して蓋２に設けている連結部４，４を本体側に設けている連結部４，４・・に噛み合わせ、軸穴に軸ピン１７，１７を挿通する。従って、蓋２は本体１に対して連結部４，４・・の軸ピン１７，１７を介して開閉することが出来る。
【００２５】
本体１のベース面４２の中央部には受け台座５を設け、同じく蓋２のベース面４３にも受け台座６を設けている。本体１の受け台座５はベース面４２とほぼ同一面に設けられ、蓋２の受け台座６はベース面４３から突出して設けている。そして受け台座５，６の形状は概略長円形を成しているが、その向きは互いに垂直方向を成している。
【００２６】
図３は本体ベース４２に設けている受け台座５の拡大図であるが、受け台座５の載置面４４にはアーム４５ａ，４５ｂが形成され、載置面４４とはスリット溝４６，４６にて切り離されていて、アーム先端には概略半円柱の係合凸部４７ａ，４７ｂを突出している。そこで、係合凸部４７ａ，４７ｂの間には収縮出来るように繋ぎ４８が介在しているが、組み合わされて高さの低い円柱となり、該係合凸部４７ａ，４７ｂは円盤状記録媒体の中央穴に嵌って係合する。ここで、係合凸部４７ａ，４７ｂを上方から押圧するならば、アーム４５ａ，４５ｂは撓むと共に、肉厚の薄い繋ぎ４８が湾曲変形して係合凸部４７ａ，４７ｂは収縮することが出来る。
【００２７】
アーム４５ａ，４５ｂは載置面４４からスリット溝４６，４６によって切り離されている為に、係合凸部４７ａ，４７ｂを押圧することで撓み変形することが出来る。アーム４５ａ，４５ｂが撓み変形出来るように、ベース面４４から僅か上方に突出した位置に設けられている。そして、アーム４５ａ，４５ｂからスリット溝を介して切り離された係合ツメ４８ａ，４８ｂが設けられ、該係合ツメ４８ａ，４８ｂは係合凸部４７ａ，４７ｂと対を成している。すなわち、概略半円柱の係合凸部４７ａ，４７ｂの一部が切欠かれた位置に係合ツメ４８ａ，４８ｂが起立している。しかも、係合ツメ４８ａ，４８ｂの先端は係合凸部４７ａ，４７ｂより僅かに高く起立している。そこで、円盤状記録媒体は受け台座５の載置面４４に載置されると共に、係合凸部４７ａ，４７ｂ、及び係合ツメ４８ａ，４８ｂは円盤状記録媒体の中央穴に嵌って係合し、係合ツメ４８ａ，４８ｂは中央穴の内周縁に係止する。
【００２８】
円盤状記録媒体は係合凸部４７ａ，４７ｂ及び係合ツメ４８ａ，４８ｂが中央穴に嵌るように受け台座５に載せられるが、係合凸部４７ａ，４７ｂ及び係合ツメ４８ａ，４８ｂが円盤状記録媒体の中央穴内周面に当って押下げられ、その結果、アーム４５ａ，４５ｂは撓み変形する。そして、係合凸部４７ａ，４７ｂ、及び係合ツメ４８ａ，４８ｂは収縮して中央穴に嵌ることが出来る。両係合凸部４７ａ，４７ｂの間には変形自在な繋ぎ４９が介在している為に、収縮して中央穴に嵌ることが出来、係合ツメ４８ａ，４８ｂは中心側へ撓み変形する。
【００２９】
中央穴に嵌った係合凸部４７ａ，４７ｂは、アーム４５ａ，４５ｂが元の位置に戻ることで一旦収縮した後に拡大して中央穴に嵌合する。そして、係合ツメ４８ａ，４８は中央穴の内周縁に係止する。このように、アーム４５ａ，４５ｂが撓み変形することで、円盤状記録媒体に無理をかけることなく受け台座５に取付けることが出来る。
【００３０】
逆に、円盤状記録媒体を受け台座５から取外す場合、係合凸部４７ａ，４７ｂを上方から押圧する。押圧するならば、アーム４５ａ，４５ｂが撓み変形して係合凸部４７ａ，４７ｂ、及び係合ツメ４８ａ，４８ｂは収縮し、中央穴から外れる。この場合、円盤状記録媒体は受け台座５の載置面４４に載っていて、係合凸部４７ａ，４７ｂを押圧しても該円盤状記録媒体の中央部が無理に撓むことはない。
【００３１】
そして、一旦係合凸部４７ａ，４７ｂ、及び係合ツメ４８ａ，４８ｂが収縮して円盤状記録媒体の中央穴から外れるならば、再び中央穴に嵌ることはなく、円盤状記録媒体は簡単に取外される。一方、受け台座５に載って取付けられている円盤状記録媒体を取外す場合、係合凸部４７ａ，４７ｂを押圧するのみならず、外周を摘んで引き上げることも出来る。すなわち、容易に撓むことが出来る係合ツメ４８ａ，４８ｂが中央穴の内周縁から外れることで、円盤状記録媒体を取外し可能となる。
【００３２】
図４は本体１に設けた受け台座５と蓋２に設けた受け台座６に円盤状記録媒体１８，１８を取付けた場合を示している。このように、本発明の収納ケースは本体側と蓋側に夫々円盤状記録媒体１８，１８が取付けられる。取付け形態は受け台座５，６に設けている係合凸部４８ａ，４７ｂ及び係合ツメ４８ａ，４８ｂが中央穴に嵌合する状態となる。
【００３３】
蓋２のベース面４３には滑らかに湾曲して突出した受け片７，７・・が設けられ、又Ｌ形をした押え片５０，５０を突出して設けている。該押え片５０，５０はＬ形を成してベース面４３との間に隙間を作り、図５に図４におけるａ−ａ断面拡大図を示すように、チャプターシート１９が挿入される。蓋側の円盤状記録媒体１８は押え片５０，５０の上側に取付けられ、押え片５０と受け片７との間に挟まったチャプターシート１９は円盤状記録媒体１８が上方から被さることで外れることはない。
【００３４】
図６は蓋２を閉じた場合の受け台座５，６の位置関係を示している。本体ベース面４２に設けた受け台座５には円盤状記録媒体１８が取付けられ、蓋２のベース面４３に設けた受け台座６には別の円盤状記録媒体１８が取付けられる。両受け台座５，６は図６に示すように互いにクロスして対面し、受け台座５，６の係合凸部４７ａ，４７ｂ・・に嵌った円盤状記録媒体１８，１８が外れないようになる。
【００３５】
蓋２が閉じるならば、本体側の受け台座５に設けている係合凸部４７ａ，４７ｂは蓋側の受け台座６に設けている係合凸部４７ａ，４７ｂに大きな隙間を残すことなく対面し、図７（ａ）、（ｂ）に断面拡大図を示しているように、係合ツメ４８ａ，４８ｂの先端は対向する係合凸部４７ａ，４７ｂの側面に係止する。従って、該係合ツメ４８ａ，４８ｂは内側（中心側）へ撓むことが出来ず、円盤状記録媒体１８の中央穴から外れることはない。本体側の係合ツメ４８ａ，４８ｂは蓋側の係合凸部４７ａ，４７ｂに係止し、蓋側の係合ツメ４８ａ，４８ｂは本体側の係合凸部４７ａ，４７ｂに係止することで、両方の円盤状記録媒体１８，１８は係合凸部４７ａ，４７ｂから外れることはなく、安定して取付けられる。
【００３６】
図８はロック部材２０であり、（ａ）は正面図、（ｂ）は裏面図を表している。又、図９の（ａ）は平面図、同図の（ｂ）は右側面図を表している。該ロック部材２０は平板部２５とコ型断面の挟持部２７から成り、収納ケースのロック部材嵌入空間には該ロック部材２０がスライドして嵌入し、蓋２が開かないようにロックされる。同図はロック部材２０の具体例であるが、上記挟持部２７は全長にわたって形成され、平面部２５の先端には嵌入棒２８及びフック２６を先端側へ延ばし、挟持部２７の手前側にはストッパー２４が側方へ突出している。
【００３７】
そして両挟持片５８，５８と底片５２から成るコ型断面の挟持部２７の内部にはロック機構が備わっていて、収納ケースにスライド嵌入したロック部材２０が外れないように構成され、しかも必要に応じて引き抜くことが出来る。そこで、該ロック機構はバネ性を備える為のヒンジ２２を介して撓み変形する撓み部材５１を有し、撓み部材先端には屈曲した係合部２１を形成し、該係合部２１は挟持部２７の底片５２より内側へ突出した状態にある。該撓み部材５１には金属片３１が取付けられ、挟持部２７に磁石を近づけるならば、上記ヒンジ２２を介して撓み部材５１は撓むことが出来、先端の係合部２１はストッパー２３に当たって底片５２と同一位置になる。
【００３８】
ロック部材２０には、上記ロック機構が挟持部２７の２箇所に所定の間隔を置いて設けられている。そして、平面部２５にはタグシール３０が貼着されている。又、ロック部材２０の手前側には、平面部２５から起立するリブ５３を設け、該リブ５３の先端縁から挟持片２９，２９を平面部２５と平行に延ばしている。従って、挟持部２９，２９は平面部２５との間に空間が形成されている。
【００３９】
図１０はロック部材２０を収納ケースに挿入する手前の状態であり、図１１は収納ケースに挿入された場合を示している。該ロック部材２０が挿入されることで、収納ケースの蓋２を開くことは出来ず、しかもロック部材２０を引き抜くことも出来なくなる。
【００４０】
収納ケースの本体１及び蓋２にはベース面４２、４３の外側から起立する縁５４，５４・・が設けられているが、この縁５４，５４を切欠いて形成した開口５５からロック部材２０を嵌入空間６５へ嵌入するならば、平面部２５は本体１のベース面４２から起立したガイド片５７ａ，５７ｂと蓋２のベース面４３の間に残った隙間に嵌入し、挟持部２７の挟持片５８，５８は本体１に設けたガイド溝片８、及び蓋２に設けたガイド溝片９ａに夫々係合し、平面部２５の縁はガイド溝片９ｂに係合することになる。すなわち、これらガイド溝片８，９ａ，９ｂはベース面４２，４３との間に隙間を残して設けられ、該隙間に挟持部２７の挟持片５８，５８、及び平面部２５の縁が嵌入する。
【００４１】
そして平面部先端から延びるフック２６は本体１から起立したガイドボス１４に係止し、そして挿入棒２８は本体係合穴１２と蓋係合穴１３に嵌入する。本体係合穴１２は本体ベース面４２との間に挿入棒２８が嵌るように形成される穴であり、同じく蓋係合穴１３は蓋ベース面４３との間に挿入棒２８が嵌るように形成される穴である。蓋２を閉じることで、本体係合穴１２と蓋係合穴１３は互いに連通した穴となり、挿入棒２８が嵌入することで、蓋はロックされる。さらに、平面部２５の手前に形成した挟持片２９，２９は本体１に設けている本体嵌合穴１１，１１に嵌ることになる。
【００４２】
このように、蓋２を閉じた収納ケースの嵌入空間５６にロック部材２０を嵌めた場合、挟持部２７の挟持片５８，５８はガイド溝片８、９ａに係合し、平面部２５の縁はガイド溝片９ｂに係合し、挿入棒２８は本体係合穴１２と蓋係合穴１３を貫通し、さらに挟持片２９，２９は本体側に設けた本体係合穴１１，１１に嵌ることで、該蓋２は該ロック部材２０を介して開かないようにロックされる。
【００４３】
そしてロック部材２０が収納ケースの嵌入空間５６に嵌入するならば、ロック部材２０の撓み部材５１，５１の先端に形成している係合部２１，２１はガイド片５７ａ，５７ｂの先端に設けたツメ１０，１０に係止してロック部材２０を取外すことが出来ないようになる。すなわち、ロック部材２０を挿入する際には、撓み部材５１，５１が撓んで係合部２１，２１はツメを１０，１０を通過するが、一旦通過した係合部２１，２１は元の位置に復帰してツメ１０，１０に係合して抜けないようになる。そこでロック部材２０を外すには係合部２１，２１をツメ１０，１０から解錠しなくてはならない訳で、本発明では磁石を備えた解錠具を使用する。
【００４４】
すなわち、磁石を収納ケース側縁に当てるならば、撓み部材５１，５１に取付けてある金属片３１，３１が引寄せられて係合部２１，２１はツメ１０，１０から外れ、この状態でロック部材２０を取外すことが出来る。この際、磁石に引かれて撓み部材５１，５１が大きく撓まないように、係合部２１，２１はストッパー２３，２３に当たって停止する。本発明では、撓み部材５１をロック部材２０を一体成形し、底片５２を切欠いたヒンジ２２を介して撓み変形するようにしている。そして、金属片３１を撓み部材５１に圧入したり、成形時に埋着することが出来、ロック機構を備えたロック部材２０の製作は比較的簡単である。
【００４５】
図１２は本発明の収納ケースに嵌入したロック部材２０を取外す場合の解錠操作を示している。収納ケースを重ねて解錠具４０の上面に載せ、収納ケースから突出しているストッパー２４を解錠具４０のコーナーに係止して矢印方向へ引張る。解錠具上面には磁石４１，４１が取付けられ、収納ケースを同図のように載せるならばロック部材２０の撓み部材５１，５１に取付けている金属片３１，３１は磁石４１に引かれて係合部２１，２１はツメ１０，１０から解錠され、ロック部材２０は引き抜かれる。
【００４６】
図１３は本発明に係る収納ケースのベース面に起立する係合ツメ５８，５８・・及び支持部材５９である。３箇所に起立した係合ツメ５８，５８・・は円盤状記録媒体１８の中央穴に嵌ることが出来、その内側には概略三角形の支持部材５９が起立している。これら係合ツメ５８，５８・・、及び支持部材５９は本体のベース面及び蓋のベース面に設けられ、蓋が閉じるならば図１４に示すように硬いに噛み合うことが出来る。
【００４７】
本体１の係合ツメ５８，５８・・は円盤状記録媒体の中央穴に嵌り、蓋２の係合ツメ５８，５８・・も同じく円盤状記録媒体の中央穴に嵌って、該円盤状記録媒体を保持することが出来る。同図に示すように蓋２が閉じられるならば、本体１のベース面に起立する支持部材５９は蓋２の係合ツメ５８，５８・・の先端内側に係止する。又蓋２のベース面に起立する支持部材５９は本体１の係合ツメ５８，５８・・の先端内側に係止することで、各係合ツメ５８，５８・・は中心側へ撓み変形することが出来ず、係合ツメ５８，５８・・が中央穴から外れることはない。
【００４８】
図１５は本体のベース面に受け台座５を設け、蓋２のベース面には支持部材６１を起立した場合である。該受け台座５の載置面から複数の係合ツメ６０，６０・・を起立し、そこで係合ツメ６０，６０・・は円盤状記録媒体１８の中央穴に嵌ることが出来、前記図３に示している受け台座の構造と共通している。しかし前記実施例の場合には、該受け台座５と本体１に設けると共に、同じ構造の受け台座６を向きを変えて蓋２のベース面に設けている。
【００４９】
そこで、蓋２を閉じることで係合ツメは係合凸部の側面に係止するように構成しているが、同図に示す係合ツメ６０，６０・・は蓋２のベース面から起立する支持部材６１が係合ツメ６０，６０・・の先端内側に係合する。従って、係合ツメ６０，６０・・は中心側へ撓むことはなく、円盤状記録媒体は係合ツメ６０，６０・・から外れ落ちることはない。
【００５０】
以上述べたように、本発明の収納ケースは本体と開閉する蓋から成り、本体と蓋のベース面には互いに係合する係合ツメを起立し、該蓋を閉じた状態で側面に設けた開口からロック部材を嵌入してロックするものであり、次のような効果を得ることが出来る。
【００５１】
【発明の効果】
本発明の収納ケースは本体のベース面と蓋のベース面に受け台座を設け、各々の受け台座に円盤状記録媒体が取付けられる。そして受け台座は載置面からスリット溝を介して分離したアーム先端に係合凸部を形成すると共に該アームから分離した係合ツメを設け、該係合凸部及び係合ツメは円盤状記録媒体の中央穴に嵌って安定して支持することが出来る。アームは受け台座の載置面とはスリット溝を介して分離している為に、該アームは自由に撓み変形することが出来る。
【００５２】
そこで、ディスクを取付ける場合、係合凸部が中央穴に当って押下げられるならば、アームは撓んで両係合凸部は収縮して中央穴に嵌まり、係合ツメは中央穴の内周縁に係止することが出来る。逆に、円盤状記録媒体を取外す際には、穴に嵌っている係合凸部を押圧することで、アームは撓んで係合凸部及び係合ツメは収縮すると共に中央穴から離脱する。この際、ディスクは受け台座の載置面に載って支えられている為に湾曲することはなく、ディスクの破損が防止される。
【００５３】
そして、本体に設けている受け台座と蓋に設けている受け台座の向きは互いにクロスしている為に、蓋を閉じるならば中央穴に嵌って内周縁に係止している係合ツメの先端は係合凸部の側面に係止して内側への撓みが阻止される。そこで、蓋を閉じた状態で受け台座に取付けられた円盤状記録媒体が外れ落ちることはない。これは、本体及び蓋に複数の係合ツメを起立し、蓋を閉じることで互いに係合し合うように構成することで円盤状記録媒体が外れ落ちないようにすることも出来る。さらに、本体側にのみ係合ツメを起立し、蓋側には係合ツメに係合する支持部材を起立することで円盤状記録媒体を安定して保持できる。
【００５４】
一方、本発明の収納ケースは蓋をロックする為のロック部材を嵌入していて、このロック部材を取外さなくては蓋を開くことが出来ない。そしてロック部材には撓み変形する撓み部材が設けられていると共に、該撓み部材の先端に形成した係合部がケース側に設けたツメに係止することで外れないようにロックされる。そこで、収納ケースを複数枚重ねて解錠具の上において突出したツメをコーナーに係止し、上面に設けている磁石によって撓み部材に取付けた金属片が引張られることで係合部はツメから解錠されて、ロック部材を取外すことが出来る。ここで、撓み部材はロック部材と一体成形され、金属片は該撓み部材に圧入、又は成形時に埋着することが出来るために、ロック部材の製作は簡単である。
【００５５】
一方、チャプターシートが挿入されように、蓋側の円盤状記録媒体は押え片の上側に取付けられ、押え片と受け片との間に挟まったチャプターシートは円盤状記録媒体が上方から被さることで外れることはない。そして、ベース面と円盤状記録媒体の間に介在して取り付けられるチャプターシートは該ベース面が透明であるならば、蓋を閉じた状態であっても外から見ることが出来る。
【図面の簡単な説明】
【図１】本体と蓋が連結部を介して繋がる前の本発明の収納ケース。
【図２】本発明に係る収納ケースを示す実施例。
【図３】受け台座の拡大図。
【図４】本体と蓋に円盤状記録媒体を取付けた場合。
【図５】蓋の受け片に挟んでチャプターシートを取付けた場合の断面図。
【図６】本体の受け台座と蓋に設けた受け台座の位置関係。
【図７】蓋を閉じた場合の係合ツメと係合凸部の関係。
【図８】ロック部材の正面図と裏面図。
【図９】ロック部材の平面図と側面図。
【図１０】収納ケースにロック部材を嵌入する場合。
【図１１】収納ケースにロック部材が嵌入してロックされた状態。
【図１２】ロック部材を取外す操作。
【図１３】ベース面に起立する係合ツメと支持部材の別形態。
【図１４】蓋を閉じた場合に係合ツメが支持部材と係合した場合。
【図１５】本体のベース面に起立した係合ツメに蓋の支持部材が係合した場合。
【符号の説明】
１  本体
２  蓋
３  繋ぎ部
４  連結部
５  受け台座
６  受け台座
７  受け片
８  ガイド溝片
９  ガイド溝片
１０  ツメ
１１  本体係合穴
１２  本体係合穴
１３  蓋係合穴
１４  ガイドボス
１８  円盤状記録媒体
１９  チャプターシート
２０  ロック部材
【図１】
2004250075.tif 000003
【図２】
2004250075.tif 000004
【図３】
2004250075.tif 000005
【図４】
2004250075.tif 000006
【図５】
2004250075.tif 000007
【図６】
2004250075.tif 000008
【図７】
2004250075.tif 000009
【図８】
2004250075.tif 000010
【図９】
2004250075.tif 000011
【図１０】
2004250075.tif 000012
【図１１】
2004250075.tif 000013
【図１２】
2004250075.tif 000014
【図１３】
2004250075.tif 000015
【図１４】
2004250075.tif 000016
【図１５】
2004250075.tif 000017